(57)【要約】【課題】            蛍光管を用いるバックライトでは、蛍光管の導線とコネクタのコンタクトとを半田付けで接合している。接近して配される蛍光管の限られた空間内での半田付けは作業効率を低下させている。【解決手段】        コネクタ（１）を本体（３）とスライダー（５）とで構成し、スライダー（５）の上下方向への側板（４）に沿う摺動により、本体（３）のコンタクト（９）を蛍光管（２）の導線（１３）への電気的接触の確立、解放を可能にする。ホルダー（２４）を用いて蛍光管（２）の配置と導線（１３）とコンタクト（９）の圧接とを同時に行うことができる。【選択図】          図１
2006244749.tif 000002
【特許請求の範囲】
【請求項１】
蛍光管を支持する本体と、本体に対して摺動自在なスライダーとを有し、本体が離間対向する側板と、各側板から延在しかつその先端が蛍光管の導線に弾力的に接触可能な対のコンタクトとを有し、スライダーを本体の側板に対して移動させると、対のコンタクトが互いに接近することを特徴とするバックライト用コネクタ。
【請求項２】
各コンタクトが外壁部と内壁部とからなる平面視略Ｕ字状をなし、外壁部の端部が本体と一体でありかつ内壁部の端部が蛍光管の導線に接触する自由端であり、各コンタクトの外壁部が側外方へ張り出す膨出部を有し、膨出部がスライダーのフランジと当接自在である請求項１記載のバックライト用コネクタ。
【請求項３】
スライダーが本体の側板に沿って上下動する側壁部を有する平面視略コの字状をなし、フランジが側壁部に設けられている請求項２記載のバックライト用コネクタ。
【請求項４】
本体が蛍光管を支える平板部と、平板部より起立しかつ蛍光管の長手方向に沿って延在するガイド部を有し、コンタクトがガイド部の一端に形成されている請求項３記載のバックライト用コネクタ。
【請求項５】
本体が蛍光管の導線を支える部分を有する請求項４記載のバックライト用コネクタ。
【発明の詳細な説明】
【技術分野】
【０００１】
本発明は、液晶画面のバックライトとして用いられる蛍光管の導線（リード線）に電気的に接続されるバックライト用コネクタに関する。
【背景技術】
【０００２】
各種電子機器、たとえば、テレビジョン受像器、パーソナルコンピューター、携帯電話等の液晶画面には、バックライトとして蛍光管は必須である。この種の蛍光管は、たとえば、２．６〜５mm径のものを回路基板に沿って複数本並設させ、それらの導線をコネクタに順次半田付けし、基板回路と導線とをコネクタを介して電気的導通関係とさせている。
【０００３】
これとは別に、コネクタの端子を蛍光管の導線に圧接や圧着させ、半田付け作業を省略する工夫がなされている。
【０００４】
【特許文献１】特開２００３−２７９９８４号公報
【特許文献２】特開２００２−３６７４２２号公報
【発明の開示】
【発明が解決しようとする課題】
【０００５】
蛍光管の導線（リード線）を回路基板側のコンタクトや端子に半田付けすることは、限られた空間内での細かい仕事が要求され作業効率が悪い上に熱による他部品への悪影響がある。
一方、半田付け作業を不要とする蛍光管の導線とコンタクトとの圧接は、蛍光管毎に圧接作業をする必要があり、作業効率が必ずしもよくない。
【０００６】
それ故に、本発明は前述した従来技術の不具合を解消させることを解決すべき課題とする。
【課題を解決するための手段】
【０００７】
本発明は、前述した課題を解決するために、コネクタの本体のコンタクトを、本体の側板に沿って摺動するスライダーにより蛍光管の導線へ圧接させる技術手段を用いる。
この手段の採用は、蛍光管をホルダーを用いて所定位置に配置すると同時にスライダーを摺動させ、蛍光管の配置とその導線とコンタクトとの圧接又は圧着とを同時に行うことが可能となり、作業効率を極めて改善させることができる。
【０００８】
本発明によれば、蛍光管を支持する本体と、本体に対して摺動自在なスライダーとを有し、本体が離間対向する側板と、各側板から延在しかつその先端が蛍光管の導線に弾力的に接触可能な対のコンタクトとを有し、スライダーを本体の側板に対して移動させると、対のコンタクトが互いに接近することを特徴とするバックライト用コネクタが提供される。
【０００９】
好ましくは、各コンタクトが外壁部と内壁部とからなる平面視略Ｕ字状をなし、外壁部の端部が本体と一体でありかつ内壁部の端部が蛍光管の導線に接触する自由端であり、各コンタクトの外壁部が側外方へ張り出す膨出部を有し、膨出部がスライダーのフランジと当接自在である。さらに、スライダーが本体の側板に沿って上下動する側壁部を有する平面視略コの字状をなし、フランジが側壁部に設けられている。
【００１０】
より好ましくは、本体が蛍光管を支える平板部と、平板部より起立しかつ蛍光管の長手方向に沿って延在するガイド部を有し、コンタクトがガイド部の一端に形成されている。さらに、本体が蛍光管の導線を支える部分を有する。
【発明の効果】
【００１１】
本発明によれば、コネクタ本体のコンタクトが複数の蛍光管の同時配置作業時に、ホルダーがスライダーを摺動させ蛍光管の導線に圧接又は圧着するので、従来の如き半田付け作業に比し、作業効率を向上させ得る。
【００１２】
さらに、複数の蛍光管の導線を対応コンタクトに同時に電気的接触を可能にさせているので、従来の個別にスライダーを動作させるものに比し、作業効率は極めて高い。
【００１３】
本発明のスライダーは上下動するので、スライダーの動きを視認しやすいという利点を奏す。
【発明を実施するための最良の形態】
【００１４】
バックライト用コネクタ１は、蛍光管２を支持する本体３と、本体３の対の側板４に沿って上下動するスライダー５を有す。コネクタ１はコネクタ実装基板６に固定され、該基板は鉄板７と反射板８に支持される。
本体３は、さらに、平面視略Ｕ字状の対のコンタクト９、蛍光管２を受ける平板部１０、平板部１０の側縁より起立しかつ蛍光管２の長手方向に沿って延在するガイド部１１を有す。対の側板４は対の離間対向するガイド部１１の下方に位置し、平板部１０の下部の断面コの字部１２は本体３の剛性を保つのに役立つ。
【００１５】
本体３は、蛍光管２の導線１３を支える部分１４を有す。
各コンタクト９は、外壁部１５と内壁部１６とからなる平面視略Ｕ字状をなす。各コンタクト９の外壁部１５は各ガイド部１１の一端より一体に延在し、その自由端を導線１３に弾力的に接触可能とさせる。外壁部１５には側外方に張り出す膨出部１７が形成される。
【００１６】
スライダー５は、平面視略コの字状をなし、対向離間する側壁部１８を有す。側壁部１８はその一側に内方へと張り出すフランジ１９を有す。側壁部１８は、さらに、側板４の開口２０に挿入される起立片２１と、その上部の押え板２２を有す。
スライダー５を本体３の側板４に沿って配し、起立片２１を孔２０へ挿入することで、縦方向に細長い孔２０にガイドされ切起片２１が上下動する。即ち、側板４に沿ってスライダー５が上下動するが、このスライダー５の上下動がフランジ１９を膨出部１７に当接させ、対のコンタクト９を互いに接近する方向に弾性変形させる。かくして、コンタクト９の内壁部１６の自由端を導線１３へ圧接可能となる。
【００１７】
次に、蛍光管２の取付作業を説明する。尚、図示例では、２本の蛍光管２を用いているが、その数に限定されない。ホルダー２４が必要数の蛍光管２を保持し、このホルダー２４（図２参照）をコネクタ１の上方に配す。ホルダー２４を下げ、各蛍光管２を対応する本体３の平板部１０上にかつその導線１３を両コンタクト９間に位置させる。
この際、突片２３がスライダー５の押え板２２に当接し、これを押し下げる。このため、スライダー５が側板４に沿って下方へと移動し、フランジ１９が膨出部１７に当接し、対向するコンタクト９を互いに接近させる方向へ弾性変形させる。これにより、導線１３がコンタクト９の内壁部１６の自由端と圧接関係となり電気的導通関係が確保される。
【００１８】
前述した如く、本発明ではホルダー２４を用いての蛍光管２のコネクタ１への装着と同時に、スライダー５を動作させ導線１３とコンタクト９との電気的接触が確保される。
スライダー５を上方へと移動させれば、コンタクト９の導線１３への圧接が解放される。
【図面の簡単な説明】
【００１９】
【図１】本発明の一例のコネクタの取付例を示す斜視図である。
【図２】図１の矢視II−IIより見た断面図である。
【図３】本体とスライダーを示す斜視図である。
【図４】図３の矢視IV−IVより見た断面図である。
【図５】蛍光管の取付例を示す平面図である。
【符号の説明】
【００２０】
１    コネクタ
２    蛍光管
３    本体
４    側板
５    スライダー
６    基板
９    コンタクト
１０    平板部
１１    ガイド部
１３    導線
１４    部分
１５    外壁部
１６    内壁部
１７    膨出部
１８    側壁部
１９    フランジ
２１    切起片
２４    ホルダー
【図１】
2006244749.tif 000003
【図２】
2006244749.tif 000004
【図３】
2006244749.tif 000005
【図４】
2006244749.tif 000006
【図５】
2006244749.tif 000007